(57)【要約】【課題】低コストでインクの増粘を検知できるインク増粘テスト方法を提供する。【解決手段】ユーザがプリンタ１０の増粘テストボタンを押すことにより開始される（Ｓ４０１）。インク増粘テストが開始された場合、先ず、温度湿度センサ１２６でプリンタ１０内（又は、その周辺）の温度と湿度が検知される（Ｓ４０２）。この検知した温度と湿度に基づいて、表２から暴露時間を決定する（Ｓ４０３）。待機中の記録ヘッド２２Ｋを印字位置（テスト位置）に移動させる（Ｓ４０４）。記録ヘッド２２Ｋが印字位置に移動した状態（インク吐出口２２Ｋｔが暴露している状態）を、Ｓ４０３で決定した暴露時間だけ保つ（Ｓ４０５）。この暴露時間が経過した時点で印字（テスト印字）を行う（Ｓ４０６）。【選択図】図４
2007106063.tif 000002
【特許請求の範囲】
【請求項１】
インクを吐出するインク吐出口を有するノズルが形成された記録ヘッドの前記インク吐出口から記録媒体にインクを吐出して画像を形成する画像形成装置における、前記インク吐出口でのインクの増粘を調べるインク増粘テスト方法において、
前記インク吐出口を所定の暴露時間だけ暴露させ、その後、該インク吐出口からインクを吐出して画像を形成し、この画像に基づいて前記インク吐出口でのインクの増粘を判断することを特徴とするインク増粘テスト方法。
【請求項２】
前記所定の暴露時間を、前記画像形成装置の内部又はその周辺の温度及び湿度に基づいて変更することを特徴とする請求項１に記載のインク増粘テスト方法。
【請求項３】
前記所定の暴露時間を、前記インク吐出口から吐出されるインクの種類に基づいて変更することを特徴とする請求項１又は２に記載のインク増粘テスト方法。
【請求項４】
前記インク吐出口から吐出されるインクは、顔料インクであることを特徴とする請求項１，２，又は３に記載のインク増粘テスト方法。
【請求項５】
前記画像形成装置の内部又はその周辺の温度及び湿度に対応する暴露時間を予め決めておき、これら温度及び湿度を測定し、この測定された温度及び湿度に対応する暴露時間だけ前記インク吐出口を暴露させることを特徴とする請求項１に記載のインク増粘テスト方法。
【請求項６】
前記インク吐出口から吐出されるインクの種類に対応する暴露時間を予め決めておき、このインクの種類に対応した暴露時間だけ前記インク吐出口を暴露させることを特徴とする請求項１又は５に記載のインク増粘テスト方法。
【発明の詳細な説明】
【技術分野】
【０００１】
本発明は、記録ヘッドのインク吐出口におけるインクの増粘を調べるインク増粘テスト方法に関する。
【背景技術】
【０００２】
記録ヘッド（印字ヘッド）に形成された複数のノズルのインク吐出口から記録媒体にインク（インク滴）を吐出して画像を形成するインクジェット方式画像形成装置（インクジェットプリンタ）が広く使用されている。ノズルのインク吐出口からインク滴を吐出させる技術の一つとして、駆動パルスに応じた熱エネルギをノズル内のインクに供給して膜沸騰による気泡を形成させ、この気泡によってノズルからインク滴を吐出させる技術が知られている。形成される画像に応じた多数のインク滴が複数のノズルから記録媒体に吐出されることにより記録媒体に画像が形成される。
【０００３】
上記のような技術を採用したインクジェットプリンタのなかには、周知の回復動作等の際にノズルから排出したインクを画像形成に再び使用するリサイクルタイプのものがある。このリサイクルタイプのインクジェットプリンタでは、リサイクル中にインクから水分が蒸発してインクの色材濃度が上昇して増粘する（インクの粘度が高くなる）ことがある。このインク増粘のため印刷画像が乱れる（インクが一様に吐出しない）など所望の画像が得られないという問題がある。
【０００４】
そこで、例えば想定インク残量と実インク残量の差からインク希釈液の量を求め、インク収納部にインク希釈液を添加することによりインクの粘度を調整し、印刷品質低下を防止する技術が知られている（例えば、特許文献１参照）。
【特許文献１】特開２００１−０１００８７号公報
【発明の開示】
【発明が解決しようとする課題】
【０００５】
ところで、周知のように回復動作の際には、フェイス面（複数のインク吐出口が形成された面）をゴム製のキャップで塞いでおき、このキャップにインク吐出口からインクを排出する。キャップに吐出されたインクは回収されて再利用される。
【０００６】
インクとして顔料インクなどを用いた場合、印字待機中や電源ＯＦＦ時に、キャップに吐出されたインクからは水分が蒸発するのでインクが増粘して顔料が凝集する。このため、インク循環経路を経由させてインク収納部にインクを回収する際に、凝集した顔料がインク流路を塞いでしまってインク漏れ等を発生するおそれや、凝集した顔料がヘッドノズルを詰まらせて復帰できない印字不良を引き起す要因となる。インクの増粘を検知する手段としては、インク粘度検知センサやインクを観察するカメラを装置本体内に設置しておく技術が知られているが、センサやカメラを設置するので高コストになる。
【０００７】
本発明は、上記事情に鑑み、低コストでインクの増粘を検知できるインク増粘テスト方法を提供することを目的とする。
【課題を解決するための手段】
【０００８】
本発明者等は、インク増粘について鋭意検討した結果、インクが増粘したときは許容暴露時間（記録ヘッドのインク吐出口を大気中に露出させた場合に、ノズル内のインクが空気に触れることによって粘度がより高くなっても安定したインク吐出が十分可能な暴露時間）が急激に短くなることを見出し、本発明に至った。
【０００９】
上記目的を達成するための本発明のインク増粘テスト方法は、インクを吐出するインク吐出口を有するノズルが形成された記録ヘッドの前記インク吐出口から記録媒体にインクを吐出して画像を形成する画像形成装置における、前記インク吐出口でのインクの増粘を調べるインク増粘テスト方法において、
（１）前記インク吐出口を所定の暴露時間だけ暴露させ、その後、該インク吐出口からインクを吐出して画像を形成し、この画像に基づいて前記インク吐出口でのインクの増粘を判断することを特徴とするものである。
【００１０】
ここで、
（２）前記所定の暴露時間を、前記画像形成装置の内部又はその周辺の温度及び湿度に基づいて変更してもよい。
【００１１】
また、
（３）前記所定の暴露時間を、前記インク吐出口から吐出されるインクの種類に基づいて変更してもよい。
【００１２】
さらに、
（４）前記インク吐出口から吐出されるインクは、顔料インクであってもよい。
【００１３】
さらにまた、
（５）前記画像形成装置の内部又はその周辺の温度及び湿度に対応する暴露時間を予め決めておき、これら温度及び湿度を測定し、この測定された温度及び湿度に対応する暴露時間だけ前記インク吐出口を暴露させてもよい。
【００１４】
さらにまた、
（６）前記インク吐出口から吐出されるインクの種類に対応する暴露時間を予め決めておき、このインクの種類に対応した暴露時間だけ前記インク吐出口を暴露させてもよい。
【００１５】
インク吐出口を暴露するとは、インク吐出口を大気中に露出することをいう。インクジェットプリンタの待機時にはフェイス面をキャップで塞いでインク吐出口を大気中に露出させないが、フェイス面をキャップで塞いでいない状態ではインク吐出口は暴露されている。
【発明の効果】
【００１６】
本発明によれば、インクの増粘を検知するセンサを使用せずにインクの増粘を判断できるので、低コストでインクの増粘を判断できる。この結果、インクの増粘に起因する復帰できない画質低下とインク漏れを防止できる。
【発明を実施するための最良の形態】
【００１７】
本発明は、インク吐出口から記録媒体にインクを吐出して画像を形成するインクジェットプリンタに実現された。
【実施例１】
【００１８】
図１を参照して、本発明のインク増粘テスト方法を実行できるプリンタの一例を説明する。
【００１９】
図１は、本発明のインク増粘テスト方法を実行できるプリンタの一例を模式的に示す正面図である。
【００２０】
プリンタ１０は、このプリンタ１０に画像情報を送るホストＰＣ（パソコン）１２に接続されている。プリンタ１０には、４つ（４本）の記録ヘッド２２Ｋ、２２Ｃ、２２Ｍ、２２Ｙが記録媒体（ここではロ−ル紙）Ｐの搬送方向（矢印Ａ方向）に並んで配置されている。４つの記録ヘッド２２Ｋ、２２Ｃ、２２Ｍ、２２Ｙからはそれぞれ黒、シアン、マゼンタ、イエローの各色のインクが吐出される。これら４つの記録ヘッド２２Ｋ、２２Ｃ、２２Ｍ、２２Ｙは、所謂ラインヘッドであり、図１の紙面に直交する方向（矢印Ａ方向に直交する方向）に延びている。これら４つの記録ヘッド２２Ｋ、２２Ｃ、２２Ｍ、２２Ｙの長さは、プリンタ１０で印字できる記録媒体のうち最大の幅（図１の紙面に直交する方向の長さ）よりもやや長い。また、これら４つの記録ヘッド２２Ｋ、２２Ｃ、２２Ｍ、２２Ｙは、画像形成中は固定されて動かない（不動状態である）。なお、上記のようなプリンタとして、高速で多数枚の名刺を作製する名刺プリンタが挙げられる。
【００２１】
４つの記録ヘッド２２Ｋ、２２Ｃ、２２Ｍ、２２Ｙから安定してインクを吐出できるように、プリンタ１０には回復ユニット４０が組み込まれている。この回復ユニット４０を用いて４つの記録ヘッド２２Ｋ、２２Ｃ、２２Ｍ、２２Ｙを回復させることにより、４つの記録ヘッド２２Ｋ、２２Ｃ、２２Ｍ、２２Ｙからのインク吐出状態は初期のインク吐出状態に回復する。回復ユニット４０には、回復動作のときに４つの記録ヘッド２２Ｋ、２２Ｃ、２２Ｍ、２２Ｙの各インク吐出口が形成されたインク吐出口形成面（フェイス面）２２Ｋｓ、２２Ｃｓ、２２Ｍｓ、２２Ｙｓからインクを除去するキャッピング機構５０が備えられている。キャッピング機構５０は各記録ヘッド２２Ｋ、２２Ｃ、２２Ｍ、２２Ｙに独立して設けられており、図１の例では６色分（即ち、６つのキャッピング機構５０）が示されているが、このうち２色分は記録ヘッド追加時の予備的な機構である。キャッピング機構５０は、周知のブレード、インク除去部材、ブレード保持部材、キャップ等から構成されている。
【００２２】
ロ−ル紙Ｐはロール紙供給ユニット２４から供給されて、プリンタ１０に組み込まれた搬送機構２６によって矢印Ａ方向に搬送される。搬送機構２６は、ロ−ル紙Ｐを載置して搬送する搬送ベルト２６ａ、この搬送ベルト２６ａを回転させる搬送モータ２６ｂ、搬送ベルト２６ａに張力を与えるローラ２６ｃなどから構成されている。
【００２３】
ロ−ル紙Ｐに画像を形成する際には、搬送中のロ−ル紙Ｐの記録開始位置がブラックの記録ヘッド２２Ｋの下に到達した後に、記録データ（画像情報）に基づいて記録ヘッド２２Ｋからブラックインクを選択的に吐出する。同様に記録ヘッド２２Ｃ、記録ヘッド２２Ｍ、記録ヘッド２２Ｙの順に、各色のインクを吐出してカラー画像をロ−ル紙Ｐに形成する。プリンタ１０には、上記の部品・部材の他、各記録ヘッド２２Ｋ、２２Ｃ、２２Ｍ、２２Ｙに供給されるインクを貯めておくメインタンク２８Ｋ、２８Ｃ、２８Ｍ、２８Ｙや、記録ヘッド２２Ｋ、２２Ｃ、２２Ｍ、２２Ｙにインクを供給したり回復動作をしたりするための各種ポンプ（図３等参照）などが備えられている。
【００２４】
図２を参照して、プリンタ１０の電気的な系統を説明する。
【００２５】
図２は、図１のプリンタの電気的な系統を示すブロック図である。
【００２６】
ホストＰＣ１２から送信された記録データやコマンドはインターフェイスコントローラ１０２を介してＣＰＵ１００に受信される。ＣＰＵ１００は、プリンタ１０の記録データの受信、記録動作、ロ−ル紙Ｐのハンドリング等全般の制御を掌る演算処理装置である。ＣＰＵ１００では、受信したコマンドを解析した後に、記録データの各色成分のイメージデータをイメージメモリ１０６にビットマップ展開して描画する。記録前の動作処理としては、出力ポート１１４、モータ駆動部１１６を介してキャッピングモータ１２２とヘッドアップダウンモータ１１８を駆動し、各記録ヘッド２２Ｋ、２２Ｃ、２２Ｍ、２２Ｙをキャッピング機構５０から離して記録位置（画像形成位置）に移動させる。
【００２７】
続いて、出力ポート１１４、モータ駆動部１１６を介してロ−ル紙Ｐを繰り出すロールモータ（図示せず）、及び低速度でロ−ル紙Ｐを搬送する搬送モータ１２０等を駆動してロ−ル紙Ｐを記録位置に搬送する。一定速度で搬送されるロ−ル紙Ｐにインクを吐出し始めるタイミング（記録タイミング）を決定するための先端検知センサ（図示せず）でロ−ル紙Ｐの先端位置を検出する。その後、ロ−ル紙Ｐの搬送に同期して、ＣＰＵ１００はイメージメモリ１０６から対応する色の記録データを順次に読み出し、この読み出したデータを各記録ヘッド２２Ｋ、２２Ｃ、２２Ｍ、２２Ｙに記録ヘッド制御回路１１２経由して（介して）転送する。
【００２８】
また、プリンタ１０には、その内部（又は周辺）の温度と湿度を検出する温度湿度センサ１２６が組み込まれている。さらに、プリンタ１０には、後述する暴露時間を測定するタイマー１２８も組み込まれている。
【００２９】
ＣＰＵ１００の動作はプログラムＲＯＭ１０４に記憶された処理プログラムに基づいて実行される。プログラムＲＯＭ１０４には、制御フローに対応する処理プログラム及びテーブルなどが記憶されている。後述するインク増粘テスト方法の手順はプログラムＲＯＭ１０４に記憶されている。このインク増粘テストは、形成された画像をユーザが見て判断したり記録ヘッド２２Ｋ、２２Ｃ、２２Ｍ、２２Ｙを取り替えて所定期間（例えば１ヶ月）経過したりしたときに実行される。また、作業用のメモリとしてワークＲＡＭ１０８を使用する。各記録ヘッド２２Ｋ、２２Ｃ、２２Ｍ、２２Ｙのクリーニングや回復動作時に、ＣＰＵ１００は、出力ポート１１４、モータ駆動部１１６を介してポンプモータ１２４を駆動し、インクの加圧、吸引等の制御を行う。
【００３０】
図３を参照して、プリンタ１０の回復動作の一例について説明する。
【００３１】
図３は、プリンタのインク供給経路を示す模式図である。この図では、図１と図２に示す構成要素と同一の構成要素には同一の符号が付されている。
【００３２】
印字中は、記録媒体Ｐの上方の所定位置に記録ヘッド２２Ｋが固定されており、キャッピング機構５０は、インク吐出を妨げないように記録ヘッド２２Ｋの側方に位置している（図５（ｂ）参照）。一方、記録ヘッド２２Ｋの回復動作を行う際には記録ヘッド２２Ｋが上方に移動し、キャッピング機構が、記録ヘッド２２Ｋのインク吐出口形成面２２Ｋｓの真下に位置する（図５（ａ）参照）。他の記録ヘッド２２Ｃ、２２Ｍ、２２Ｙも同じ動きをする（以下、同様である）。
【００３３】
回復動作（ここでは、記録ヘッド内を加圧してインク吐出口からインクを排出させる回復動作）を開始するにあたっては、先ず、記録ヘッド２２Ｋをキャッピング位置から回復位置へ移動する。続いて、回復弁９２を閉じて、サブポンプ８４及び加圧ポンプ９０を駆動させる。これら２つのポンプ８４，９０を駆動させることにより、記録ヘッド２２Ｋのノズルからインクが押し出されてキャップ（図示せず）の下方のインク溜り（図示せず）に導かれる。インク溜りに溜まったインクは、駆動中のサブポンプ８４によってサブタンク３０Ｋに戻るので、インクはリサイクルされることとなる。
【００３４】
上記の回復動作（記録ヘッド２２Ｋを回復位置に位置させて、回復弁９２を閉じてサブポンプ８４及び加圧ポンプ９０をＯＮする動作）を所定時間継続させる。この所定時間が経過後に、加圧ポンプ９０を停止させる。続いて、記録ヘッド２２Ｋをキャッピング位置に戻し、予備的な吐出を所定発数行う。続いて、ワイパーブレード（図示せず）によって記録ヘッド２２Ｋのフェイス面２２Ｋｓを拭う（ワイプする）ことにより、フェイス面２２Ｋｓに付着しているインクを拭き取る。さらに所定時間経過したときに、サブポンプ８４を停止して、キャッピング機構５０内のインク溜り（図示せず）からのインク吸引動作を停止して回復動作を終了する。
【００３５】
上記した加圧による回復動作とは別に、インク吐出口からインクを予備的に吐出させる回復動作もある。この予備的な吐出（予備吐）を実行するタイミングの一例について表１を参照して説明する。
【００３６】
表１における温度と湿度は、温度湿度センサ１２６（図２参照）で検出される温度と湿度を表しており、時間（秒）は、ノズルのインク吐出口を暴露してノズル内のインクが空気に触れることによって粘度がより高くなっても、インク吐出が十分可能な暴露時間（許容時間）の一例を表している。例えば、温度が１０〜１５℃の範囲内であって、湿度が５０〜７０％ＲＨの範囲内のときは、許容時間は３５秒となる。この許容時間は、インクの種類によって変わる。
【表１】
2007106063.tif 000003
【００３７】
印字中は、画像に応じて使用されるノズル（インクを吐出するノズル）と使用されないノズル（インクを吐出しないノズル）があり、使用されるノズル内のインクの粘度は高くならない（なりにくい）が、使用されないノズル内のインクの粘度は高くなりやすい。このため、インクの増粘に起因するトラブルを防止するために、今回のジョブで使用されなかったノズルを次回のジョブで使用するときは、表１に示す許容時間に基づいて上記の回復動作（予備吐）を実行する。又、同じ画像データを連続して印字する場合は、同じノズルしか使用しないので本予備吐は実施しない。
【００３８】
ところが、印字待機中や電源ＯＦＦ時に、プリンタを長期間使用しなかった場合等は、キャップに吐出されたインクから水分が蒸発して許容範囲以上にインクの増粘が促進することがある。このように許容範囲以上に増粘したインクをリサイクルして再利用する場合、インク流路やヘッドノズルを塞いだり復帰できないインク吐出不良やインク漏れになったりするおそれがある。このような復帰できないトラブルは、本発明のインク増粘テスト方法によって防止される。
【００３９】
図４から図７までを参照して、インク増粘テスト方法を説明する。
【００４０】
図４は、インク増粘テスト方法の手順を示すフロー図である。図５は、インク増粘テストを実行する際の記録ヘッドの位置を示す模式図であり、（ａ）は、キャッピング位置を示し、（ｂ）は、印字位置（テスト位置）を示す。図６は、水分蒸発率と粘度の関係を示すグラフであり、記録ヘッドの記号で表されるインクの種類によって水分蒸発率と粘度の関係は異なる。このインクにおいては、粘度が６ｍｐａ・ｓが、インクの使用許容範囲であり、６ｍｐａ・ｓ以上の粘度のインクを使用し続けた場合、ヘッドのノズルを詰まらせたりインク漏れの等のプリンタ復帰不可能な問題を引き起こしたりすることがある。従って、粘度が６ｍｐａ・ｓ以下の状態でインク増粘を検知することが重要となる。
【００４１】
図７（ａ）は、インクが増粘していないときのテスト画像を示す平面図であり、（ｂ）は、インクが増粘したときのテスト画像の一例を示す平面図である。
【００４２】
インク増粘テスト方法は、記録ヘッド２２Ｋに形成されたノズル２２Ｋｎのインク吐出口２２Ｋｔを所定の暴露時間だけ暴露させることによってノズル部でのインクの粘度を上げ、その後、インク吐出口２２Ｋｔから（すなわち、ノズル２２Ｋｎから）記録媒体にインクを吐出して画像（テスト画像）を形成し、このテスト画像に不吐（インクが吐出されない）部分が生じるか否かに基づいてインク流路中のインクの増粘を判断する方法である。他の記録ヘッド２２Ｃ、２２Ｍ、２２Ｙについても同様である。
【００４３】
表２は、増粘テスト用の暴露時間テーブルであり、許容範囲限度であるインク粘度が６ｍｐａ・ｓにおける、温度および湿度の条件下においてインクジェット記録ヘッドの吐出口を大気中に露出させた場合にノズル内でインクの粘度が流路中のインクよりも高くなってインク吐出が不安定になる、つまり目視で印字先端部に印字不良が確認できる時間を設定したものである。例えば、温度が１０〜１５℃の範囲内であって、湿度が５０〜７０％ＲＨの範囲内のときは暴露時間は９５秒であり、この時間ノズルが空気中に暴露されたときに不吐が発生する。出力される画像は、図７（ｂ）に示す状態である。このように暴露時間は、プリンタ１０の内部又はその周辺の温度及び湿度に基づいて変更されるものであり、また、インク吐出口から吐出されるインク（ノズル内のインク）の種類によっても設定する許容粘度によっても変わる。
【表２】
2007106063.tif 000004
【００４４】
上記のように、プリンタ１０の内部又はその周辺の温度及び湿度に対応する暴露時間を予め決めておき、これら温度及び湿度を測定し、この測定された温度及び湿度に対応する暴露時間だけインク吐出口を暴露させてインク増粘テストを実行する。また、インクの種類によっても暴露時間を変更するので、本発明のインク増粘テスト方法は、インク吐出口から吐出されるインクの種類に対応する暴露時間も予め決めておき、このインクの種類に対応した暴露時間だけインク吐出口を暴露させて実行される。このインク増粘テスト方法の手順を説明する。
【００４５】
インク増粘テストは、ユーザがプリンタ１０の増粘テストボタン（図示せず）を押すことにより開始される（Ｓ４０１）。なお、一定時間ごとにインク増粘テストを実行するシーケンスをプログタムＲＯＭ１０４（図２参照）に記憶させておいてもよい。インク増粘テストが開始された場合、先ず、温度湿度センサ１２６（図２参照）でプリンタ１０内（又は、その周辺）の温度と湿度が検知される（Ｓ４０２）。この検知した温度と湿度に基づいて、表２から暴露時間を決定する（Ｓ４０３）。図５（ａ）に示すように待機中の記録ヘッド２２Ｋを、図５（ｂ）に示すように印字位置（テスト位置）に移動させる（Ｓ４０４）。記録ヘッド２２Ｋが印字位置に移動した状態（インク吐出口２２Ｋｔが暴露している状態）を、Ｓ４０３で決定した暴露時間だけ保つ（Ｓ４０５）。この暴露時間が経過した時点で印字（テスト印字）を行う（Ｓ４０６）。
【００４６】
このテスト印字の結果の一例を図７に示す。このテスト印字では、べた黒の画像を形成した。ノズル２２Ｋｎ内のインクが増粘していないとき（ここでは、図６に示す粘度が６．０ｍｐａ・ｓ未満のとき）は、図７（ａ）に示すように、全面が真っ黒の画像が形成される。一方、ノズル２２Ｋｎ内のインクが増粘しているとき（ここでは、図６に示す粘度が６．０ｍｐａ・ｓ以上のとき）は、図７（ｂ）に示すように、全面が真っ黒にならずにインクの吐出されていない部分が印字先端部に発生する。ユーザは、図７のようなテスト画像を見ることによってインクの増粘の程度を知ることができる。
【００４７】
図７（ｂ）に示すようなテスト画像が形成された場合は、インクを交換するか希釈液でインクを希釈する必要がある。図７（ｂ）に示されるインク増粘の状態でインク交換等を実施した場合は、プリンタ１０を壊さずに復帰可能である。なお、図７（ａ）のテスト画像が形成された場合は、インクが図６が示す許容粘度（６．０ｍｐａ・ｓ）に達するまで増粘しておらず、現段階でのインクを交換等しなくとも良いと判断できる。
【００４８】
上記の実施例では、表２のテーブルを一つだけ使用したが、このテーブルは、使用するインク種(例えば、顔料インク、染料インク)又はインクの色によって異なるので、増粘テストの際の暴露時間が大きく相違する場合は、インク種、色によって別途にテーブルを設けても良い。この場合は、記録ヘッド２２Ｋのインク増粘テスト、記録ヘッド２２Ｃのインク増粘テスト、記録ヘッド２２Ｍのインク増粘テスト、記録ヘッド２２Ｙのインク増粘テストと分けて実行することとなる。また、記録ヘッドの種類がシリアルプリンタであっても、同様のインク増粘テストを実行することにより同じ効果は得られる。
【００４９】
さらに、上記の実施例では、プログラム（ソフトウェア）による制御を行うものとして説明したが、実行する制御および機能の一部または全部をハードウェアにて実現することも可能である。プリンタ１０としては、荷電量制御型、スプレイ方式を利用したコンティニュアス型、或いは熱エネルギーを利用したバブルジェット方式、ピエゾ振動板を利用したピエゾ方式等を使用したオンデマンド型等が使用できる。
【００５０】
例えば記録信号（画像情報）に応じて熱エネルギーをインクに加えてインクを吐出、飛翔させる方式の場合、所定の粘度よりも増加するとヒータで発生させたエネルギーが効率よくインクに伝達されず、吐出口から飛翔するインク液滴量や速度が変化し、所望とする画像が得られないという問題がある。また、エネルギーがインク中に効率良く伝わらないためにヒータに蓄積されて過熱して断線などを起こすこともある。しかし、上記のインク増粘テスト方法を実行することにより、容易に迅速にインクの増粘の知ることができるのでトラブルを防止できる。
【図面の簡単な説明】
【００５１】
【図１】本発明のインク増粘テスト方法を実行できるプリンタの一例を模式的に示す正面図である。
【図２】図１のプリンタの電気的な系統を示すブロック図である。
【図３】プリンタのインク供給経路を示す模式図である。
【図４】インク増粘テスト方法の手順を示すフロー図である。
【図５】インク増粘テストを実行する際の記録ヘッドの位置を示す模式図であり、（ａ）は、キャッピング位置を示し、（ｂ）は、印字位置（テスト位置）を示す。
【図６】水分蒸発率と粘度の関係を示すグラフであり、記録ヘッドの記号で表されるインクの種類によって水分蒸発率と粘度の関係は異なる。
【図７】（ａ）は、インクが増粘していないときのテスト画像を示す平面図であり、（ｂ）は、インクが増粘したときのテスト画像の一例を示す平面図である。
【符号の説明】
【００５２】
１０  プリンタ
２２Ｋ、２２Ｃ、２２Ｍ、２２Ｙ  記録ヘッド
２２Ｋｎ  ノズル
２２Ｋｔ  インク吐出口
５０  キャッピング機構
【図１】
2007106063.tif 000005
【図２】
2007106063.tif 000006
【図３】
2007106063.tif 000007
【図４】
2007106063.tif 000008
【図５】
2007106063.tif 000009
【図６】
2007106063.tif 000010
【図７】
2007106063.tif 000011